(57)【要約】【課題】バッテリーモジュールの保持構造において、組み立てが容易で、部品点数が少なく、簡易な構造のグロメットを提供する。【解決手段】本発明によるバッテリーモジュールの保持構造は、筒型のバッテリーモジュールを挟み込む１つ以上の中空部を有するグロメットにおいて、グロメットが１つの部品として一体成形されるとともに、グロメットに、外側の一端から内部に切り込まれて中空部が開閉可能とされ、バッテリーモジュールの一側を挟み込む第１挟み込み部と、バッテリーモジュールの他側を開閉可能に挟み込み、第１挟み込み部に対向する第２挟み込み部と、第１挟み込み部または第２挟み込み部の開閉基点となる折り曲げ部と、が備えられる。【選択図】図１
2009087816.tif 000002
【特許請求の範囲】
【請求項１】
筒型のバッテリーモジュールを挟み込む１つ以上の中空部を有するグロメットにおいて、
前記グロメットが１つの部品として一体成形されるとともに、
前記グロメットに、外側の一端から内部に切り込まれて前記中空部が開閉可能とされ、前記バッテリーモジュールの一側を挟み込む第１挟み込み部と、
前記バッテリーモジュールの他側を開閉可能に挟み込み、前記第１挟み込み部に対向する第２挟み込み部と、
前記第１挟み込み部または前記第２挟み込み部の開閉基点となる折り曲げ部と、が備えられることを特徴とするバッテリーモジュールの保持構造。
【請求項２】
前記折り曲げ部が、一カ所以上の薄肉部で構成されるとともに、
前記第１挟み込み部と第２挟み込み部の先端に、互いに鉤状の嵌合部が設けられることを特徴とする請求項１に記載のバッテリーモジュールの保持構造。
【請求項３】
筒型のバッテリーモジュールを挟み込む１つ以上の中空部を有するグロメットにおいて、
前記グロメットが１つの部品として一体成形されるとともに、
前記中空部のそれぞれの外周部に、前記バッテリーモジュールの着脱を行なうための開口した切り欠き部が設けられることを特徴とするバッテリーモジュールの保持構造。
【請求項４】
前記グロメットの外周または内周に、前記切り欠き部を拡げやすくする薄肉部が設けられることを特徴とする請求項３に記載のバッテリーモジュールの保持構造。
【請求項５】
前記グロメットが装着された前記バッテリーモジュールを収納するバッテリーボックス内の底部に、前記グロメットの底部の外周部の形状に合わせた凹部が設けられ、前記グロメットの底部が前記凹部に嵌合されることによって位置決めされることを特徴とする請求項１または請求項３に記載のバッテリーモジュールの保持構造。
【発明の詳細な説明】
【技術分野】
【０００１】
本発明は、ハイブリッド車両等におけるバッテリーモジュールの保持構造に係り、より詳細には、部品点数が少なく、簡単な構造を有し、バッテリーモジュールを挟み込み部の開閉により、あるいは切り欠き部から押し込んで装着できる保持部材に関する。
【背景技術】
【０００２】
従来のバッテリーモジュールの保持部材（以下グロメットと称す）の一例を図３０に示す。図３０に示すように、グロメット３は、２つの部品からなる分割体２０ａ、２０ｂで構成される。そして、分割体２０ａ、２０ｂを結合するための複雑な結合手段２１が備えられる。そのため、このような構造は、部品点数、部品費、部品組立工数、部品管理等を増大させるものとなる。さらに、保持部材が装着されたバッテリーモジュールをバッテリーボックスへ収納する際の配列を交互にずらして積層する。保持部材の外周部に多数の凸部が設けられ、これに合わせて、バッテリーボックスの底部には各凸部に合わせた凹部が設けられ、凸部と凹部が嵌め合わされる構造である。このような構造は、製品の形状が複雑となり、金型費用の増大と部品費用の増大を招くものとなる。
【特許文献１】特開２００６−３５１３６３号公報
【発明の開示】
【発明が解決しようとする課題】
【０００３】
本発明の目的は、バッテリーモジュールの保持構造において、組み立てが容易で、部品点数が少なく、簡易な構造のグロメットを提供することにある。
【課題を解決するための手段】
【０００４】
前記目的を達成するため、本発明による請求項１記載のバッテリーモジュールの保持構造は、筒型のバッテリーモジュールを挟み込む１つ以上の中空部を有するグロメットにおいて、前記グロメットが１つの部品として一体成形されるとともに、前記グロメットに、外側の一端から内部に切り込まれて前記中空部が開閉可能とされ、前記バッテリーモジュールの一側を挟み込む第１挟み込み部と、前記バッテリーモジュールの他側を開閉可能に挟み込み、前記第１挟み込み部に対向する第２挟み込み部と、前記第１挟み込み部または前記第２挟み込み部の開閉基点となる折り曲げ部と、が備えられることを特徴とする。
【０００５】
本発明による請求項２は、前記折り曲げ部が、一カ所以上の薄肉部で構成されるとともに、前記第１挟み込み部と第２挟み込み部の先端に、互いに鉤状の嵌合部が設けられることを特徴とする。
【０００６】
本発明による請求項３に記載のバッテリーモジュールの保持構造は、筒型のバッテリーモジュールを挟み込む１つ以上の中空部を有するグロメットにおいて、前記グロメットが１つの部品として一体成形されるとともに、前記中空部のそれぞれの外周部に、前記バッテリーモジュールの着脱を行なうための開口した切り欠き部が設けられることを特徴とする。
【０００７】
本発明による請求項４は、前記グロメットの外周または内周に、前記切り欠き部を拡げやすくする薄肉部が設けられることを特徴とする。
【０００８】
本発明による請求項５は、前記グロメットが装着された前記バッテリーモジュールを収納するバッテリーボックス内の底部に、前記グロメットの底部の外周部の形状に合わせた凹部が設けられ、前記グロメットの底部が前記凹部に嵌合されることによって位置決めされることを特徴とする。
【発明の効果】
【０００９】
本発明の請求項１に記載のバッテリーモジュールの保持構造によれば、バッテリーモジュールを挟み込むグロメットを１つの部品で構成し、しかも開閉可能な第１挟み込み部と第２挟み込み部と折り曲げ部とで構成したので、部品点数が少なく、約３０％のコスト低減を図ることができる。また、折り曲げ部を基点に第１挟み込み部または第２挟み込み部を跳ね上げるようにして開くので、バッテリーモジュールの着脱操作が簡単にできる。
【００１０】
本発明の請求項２によれば、折り曲げ部を一カ所以上の薄肉部で構成したので、大きな力を要することなく、第１挟み込み部または第２挟み込み部を開くことができる。複数の薄肉部で折り曲げ部を構成すれば、開閉をよりスムーズにでき、負荷が集中して破断することも防止できる。一方、折り曲げ部を薄肉部で構成すると、第１挟み込み部と第２挟み込み部の先端側の挟み込み力が弱くなる。そこで、鉤状の嵌合部で互いに嵌合させるようにしたので、バッテリーモジュールを確実に挟み込むことができる。
【００１１】
本発明の請求項３に記載のバッテリーモジュールの保持構造によれば、バッテリーモジュールを挟み込むグロメットを１つの部品で構成したので、部品点数が少なく、コスト低減を図ることができる。さらに中空部の外周部に開口した切り欠き部を設けたので、切り欠き部を押し広げるようにしてバッテリーモジュールの着脱を簡単に行なうことができる。
【００１２】
請求項４によれば、グロメットの外周または内周に、切り欠き部を拡げやすくする薄肉部を設けたので、切り欠き部が小さな力で拡がり、バッテリーモジュールの着脱が容易にできる。
【００１３】
請求項５によれば、バッテリーボックス内の底部に、グロメットの外周部の形状に合わせた凹部を設けたので、グロメットの外周部をそのまま利用したことになり、グロメットの底部が凹部に嵌合されることで位置決めできる。グロメットには、位置決め専用の凹凸を設ける負担がない。凹部の形状は、グロメットの底部全体または一部が嵌合される形とし、例えばグロメットが角筒形であれば三角形状の溝型凹部とすればよい。
【発明を実施するための最良の形態】
【００１４】
以下、添付の図面を参照し、本発明によるバッテリーモジュールの保持構造を詳しく説明する。なお、複数のグロメットの構成例を使用して説明する。構成例１ａ〜１ｊは、バッテリーモジュール２つを保持するグロメットである。構成例２ａは、バッテリーモジュール３つを２段積みして保持するグロメットである。構成例３ａ〜３ｃは、バッテリーモジュール６つ以上を直線状に保持するグロメットである。
【実施例】
【００１５】
図１は本発明によるグロメット（構成例１ａ）の斜視図である。図１に示す構成例１ａのグロメット３は、１つの部品として一体成形されたもので、円筒型のバッテリーモジュールを挟み込む２つの中空部１０と、グロメット３の左方向外側の一端から内部に切り込まれて２つの中空部１０が開閉可能とされ、バッテリーモジュールの一側を挟み込む第１挟み込み部５と、バッテリーモジュールの他側を開閉可能に挟み込み、第１挟み込み部５に対向する第２挟み込み部６と、第１挟み込み部５または第２挟み込み部６の開閉基点となる折り曲げ部４と、を備える。グロメット３の上下の面には、上下連結用の突起１２と穴１３が設けられる。グロメット３の右側には、左右連結用の穴１５が、左側には左右連結用の突起１４（図３参照）が設けられる。折り曲げ部４には、２つの薄肉部７が設けられる。第１挟み込み部５と第２挟み込み部６は、図１の矢印（図１の左方向参照）のように開くことができる。
【００１６】
図２は、本発明によるグロメット（構成例１ａ）をバッテリーモジュールに装着した場合の斜視図である。構成例１ａのグロメット３の中空部１０に、２つのバッテリーモジュール１が挟み込まれている。
【００１７】
図３は、本発明によるグロメット（構成例１ａ）をバッテリーモジュールに装着した場合の正面図である。２つのバッテリーモジュール１の一方は、プラス電極１６が正面を向き、他方はマイナス電極１７が正面を向くように配置してグロメット３を装着する。左右連結用の突起１４は、隣に配置されたバッテリーモジュール１のグロメット３の左右連結用の穴１５に挿入される。上下連結用の突起１２は、例えば上側に積まれたバッテリーモジュール１のグロメット３の上下連結用の穴１３に挿入される。
【００１８】
図４は、本発明によるグロメット（構成例２ａ）をバッテリーモジュールに装着した場合の正面図である。構成例２ａのグロメット３は、３つのバッテリーモジュール１を２段積みにして保持する。正面から見た形状は略三角形となる。グロメット３は、１つの部品として一体成形されたものである。グロメット３の上方向外側の一端から内部に切り込まれて３つの中空部１０が開閉可能とされ、バッテリーモジュール１の一側を挟み込む第１挟み込み部５と、バッテリーモジュール１他側を開閉可能に挟み込み、第１挟み込み部５に対向する第２挟み込み部６と、第１挟み込み部５または第２挟み込み部６の開閉基点となる折り曲げ部４と、を備える。折り曲げ部４には、２つの薄肉部７が設けられる。嵌合部１１は、第１挟み込み部５と第２挟み込み部６の先端が鉤形に形成されている。このグロメット３には、上下連結用または左右連結用の突起や穴はない。突起や穴がなくてもバッテリーボックス内に積み上げることができる。
【００１９】
図５は、本発明によるグロメット（構成例３ａ）をバッテリーモジュールに装着した場合の正面図である。構成例３ａのグロメット３は、６つ以上のバッテリーモジュール１を直線状に挟み込むタイプである。バッテリーモジュール１の個数は６つ以上に限らず、３〜５つとしてもよい。グロメット３は、１つの部品として一体成形され、バッテリーモジュール１を挟み込む６つ以上の中空部１０と、グロメット３の左方向外側の一端から内部に切り込まれて中空部１０が開閉可能とされ、バッテリーモジュール１の一側を挟み込む第１挟み込み部５と、バッテリーモジュールの他側を開閉可能に挟み込み、第１挟み込み部５に対向する第２挟み込み部６と、第１挟み込み部５または第２挟み込み部６の開閉基点となる折り曲げ部４と、を備える。左端には前後方向に長尺な嵌合部１１が設けられる。ここが左右連結用のライン状の突起１８でもある。右端には突起１８が挿入される左右連結用のライン状の溝１９が設けた。この部分は薄肉部７でもある。折り曲げ部４には、薄肉部７を１つだけ設けた。嵌合部１１は、折り曲げ部４の弾性力だけに頼らず、確実にバッテリーモジュール１を挟み込める。
【００２０】
図６はグロメット（構成例１ａ）の正面図である。構成例１ａのグロメットは図１〜３にも示している。折り曲げ部４には、２つの薄肉部７が約４５°の角度で設けられる。
【００２１】
図７は、グロメットの他の構成例で、本発明によるグロメット（構成例１ｂ）の正面図である。図７の構成例１ｂのグロメット３は、左端に前後方向に長尺な嵌合部１１を設け、また、ここを突出させて左右連結用のライン状の突起１８とした。右端には、突起１８が挿入される左右連結用のライン状の溝１９を設けた。折り曲げ部４の薄肉部７は、図１の構成例１ａの２つ設けた構成とは異なり、１つとした。
【００２２】
図８は、グロメットの他の構成例で、本発明によるグロメット（構成例１ｃ）の正面図である。左端には、嵌合部１１は設けず、左右連結用のライン状の突起１８を設けた。右端には突起１８に対応した溝１９を設けた。突起１８や溝１８は、幅があるので、図１のような構成例１ａの突起１４や穴１５に比較して、隣接するグロメットの結合を強固にできる。
【００２３】
図９は、グロメットの他の構成例で、本発明によるグロメット（構成例１ｄ）の正面図である。ここでは、左右連結用のライン状の突起１８と、左右連結用のライン状の溝１９の形状を矩形とした。薄肉部７の上下方向の幅を広くできる。
【００２４】
図１０は、グロメットの他の構成例で、本発明によるグロメット（構成例１ｅ）の正面図である。ここでは、左右連結用のライン状の突起１８と、左右連結用のライン状の溝１９をそれぞれ２つとした。折り曲げ部４を構成する薄肉部７は、図１に示す構成例１ａと同じで２つである。
【００２５】
図１１は、グロメットの他の構成例で、本発明によるグロメット（構成例１ｆ）の正面図である。このグロメット３は、正面から見て６角形が２つ連設された形状とした。上下連結用または左右連結用の突起や穴（または溝）は有していない。しかし、６角形状なので、上下方向にも左右方向にも定まった位置決めができる。左端に嵌合部１１を設け、右端に折り曲げ部４は１つの薄肉部７で構成した。中空部１０も６角形状としている。角筒形のバッテリーモジュールの保持に適す。
【００２６】
図１２は、グロメットの他の構成例で、本発明によるグロメット（構成例１ｇ）の正面図である。このグロメット３は、正面から見て６角形が２つ連設された形状とした。上下連結用または左右連結用の突起や穴（または溝）は有していない。しかし、６角形状なので、上下方向にも左右方向にも定まった位置決めができる。左端に嵌合部１１を設け、右端の折り曲げ部４は、１つの薄肉部７で構成した。中空部１０は円筒形で、円筒形のバッテリーモジュールの保持に適す。
【００２７】
図１３は、グロメットの他の構成例で、本発明によるグロメット（構成例１ｈ）の正面図である。このグロメット３は、正面から見て１２角形が２つ連設された形状とした。上下連結用の突起や穴は有していない。左右連結用のライン状の突起１８と、左右連結用のライン状の溝１９を設けた。左端に前後方向に長尺な嵌合部１１を設けている。
【００２８】
図１４は、本発明によるグロメット（構成例２ａ）の正面図である。構成例２ａのグロメットは、図４はバッテリーモジュールに装着した状態で示している。
【００２９】
図１５〜１８が、グロメットを開いた場合の正面図である。図１５は、グロメット（構成例１ａ）を開いた場合の正面図である。図１６は、グロメット（構成例１ｆ）を開いた場合の正面図である。図１７は、グロメット（構成例１ｇ）を開いた場合の正面図である。図１８は、グロメット（構成例２ａ）を開いた場合の正面図である。このような状態で、バッテリーモジュール１に装着し中空部１０に挟み込む。第１挟み込み部５または第２挟み込み部６を開く場合、折り曲げ部４の薄肉部７が開閉を容易にしている。
【００３０】
図１９〜図２３は、グロメットの他の構成例で、いずれもバッテリーモジュールを出し入れする開口した切り欠き部を有する構成である。図１９は、本発明によるグロメット（構成例１ｉ）の正面図である。構成例１ｉのグロメット３は、正面から見て１２角形が連設された形状とした。２つのバッテリーモジュール１を保持できる。切り欠き部８は、中空部１０の外周部を切り欠いたものである。切り欠き部８は、両方とも上側に開口している。切り欠き部８を拡げてバッテリーモジュール１を出し入れする。左端には左右連結用の突起１４を、右端には左右連結用の穴１５を設けた。複数の薄肉部７が中空部１０の内側に設けられ、外周部を拡げやすくしている。
【００３１】
図２０は、本発明によるグロメット（構成例１ｊ）の正面図である。構成例１ｊのグロメット３は、正面から見て１２角形が連設された形状とした。２つのバッテリーモジュール１を保持できる。切り欠き部８は、中空部１０の外周部を切り欠いたものである。切り欠き部８は、一方が上側に開口して、他方が下側に開口している。切り欠き部８を拡げてバッテリーモジュール１を出し入れする。左端には左右連結用の突起１４を、右端には左右連結用の穴１５を設けた。複数の薄肉部７が中空部１０の外側に設けられ、外周部を拡げやすくしている。
【００３２】
図２１は、本発明によるグロメット（構成例１ｉ）をバッテリーモジュールに装着した場合の正面図である。２つのバッテリーモジュール１の一方は、プラス電極１６が正面を向き、他方はマイナス電極１７が正面を向くよう装着する。突起１４は、隣に配置されたバッテリーモジュール１の穴１５に挿入される。
【００３３】
図２２は、本発明によるグロメット（構成例３ｂ）の正面図である。構成例３ｂのグロメット３は、６つ以上のバッテリーモジュール１を直線状に挟み込むタイプである。切り欠き部８は、２つの中空部１の中間に設けられ、中空部１０の外周部を切り欠いたものである。切り欠き部８は、すべて上側に開口している。切り欠き部８を拡げてバッテリーモジュール１を出し入れする。切り欠き部８を拡げやすくするため、複数の薄肉部７を中空部１０の内側に設けた。なお、左端には左右連結用の突起１４を、右端には左右連結用の穴１５を設けている。
【００３４】
図２３は、本発明によるグロメット（構成例３ｃ）の正面図である。構成例３ｃのグロメット３は、６つ以上のバッテリーモジュール１を直線状に挟み込むタイプである。切り欠き部８は、中空部１０の外周部を切り欠いたものである。切り欠き部８は、交互に上側と下側に開口させた。切り欠き部８を拡げてバッテリーモジュール１を出し入れする。切り欠き部８を拡げやすくするため、複数の薄肉部７を外周部、つまり中空部１０の外側に設けた。なお、左端には左右連結用の突起１４を、右端には左右連結用の穴１５を設けている。
【００３５】
図２４〜図２９は、グロメットが装着されたバッテリーモジュールをバッテリーボックスの底部に積み上げた場合の構成図である。
図２４は、本発明によるグロメット（構成例１ａ）をバッテリーボックス底部に積み上げた場合の正面図である。バッテリーボックス２内の底部は、グロメット３の底部の形状に合わせた凹部９が形成されている。そのため、この凹部９にグロメット３を設置することで、グロメット３の前後左右の位置が確定される。グロメット３は積み上げる際、一段目は左右連結用の突起１４がすべて左方向を向くように設置される。グロメット３の２段目を積み上げる際は、突起１４がすべて右方向を向くように設置される。
【００３６】
図２５は、本発明によるグロメット（構成例１ｈ）をバッテリーボックス底部に積み上げた場合の正面図である。バッテリーボックス２内の底部は、グロメット３の底部の形状に合わせた凹部９が形成されている。そのため、この凹部９にグロメット３を設置することで、グロメット３の前後左右の位置が確定される。グロメット３は積み上げる際、一段目は左右連結用のライン状の突起１８がすべて左方向を向くように設置される。グロメット３の２段目を積み上げる際は、突起１８がすべて右方向を向くように設置される。構成例１ｈのグロメット３は、１２角形状なので上下方向には、長さを短縮した配置ができる。
【００３７】
図２６は、本発明によるグロメット（構成例３ａ）をバッテリーボックス底部に積み上げた場合の正面図である。バッテリーボックス２内の底部は、グロメット３の底部の形状に合わせた凹部９が形成されている。凹部９の深さは、位置決めできる程度に浅いものでもよい。この凹部９にグロメット３を設置すれば、グロメット３の前後左右の位置が確定される。グロメット３は積み上げる際、一段目は左右連結用のライン状の突起１８が左方向を向くように設置される。グロメット３の２段目を積み上げる際は、突起１８が右方向を向くように設置される。
【００３８】
図２７は、本発明によるグロメット（構成例２ａ）をバッテリーボックス底部に積み上げた場合の正面図である。バッテリーボックス２内の底部は、グロメット３の底部の形状に合わせた凹部９が形成されている。凹部９の深さは、位置決めできる程度に浅いものでもよい。図２７に示すように、右側から左側方向に、上下を交互にして、凹部９にグロメット３を設置することで、グロメット３の前後左右の位置を確定できる。また、一段目は、グロメット３を正立で配置し、２段目を倒立に配置してもよい。
【００３９】
図２８は、本発明によるグロメット（構成例１ｇ）をバッテリーボックス底部に積み上げた場合の正面図である。バッテリーボックス２内の底部は、グロメット３の底部の形状に合わせた凹部９が形成されている。凹部９の深さは、位置決めできる程度に浅いものでもよい。この凹部９にグロメット３を設置すれば、グロメット３の前後左右の位置が確定される。プラス電極１６とマイナス電極１７の前面側の配線も示す。後面にも同様の配線がある。右側方向の下から２段目のグロメット３は斜めに設置される。
【００４０】
図２９は、本発明によるグロメット（構成例１ｉ）をバッテリーボックス底部に積み上げた場合の正面図である。バッテリーボックス２内の底部は、グロメット３の底部の形状に合わせた凹部９が形成されている。凹部９の深さは、位置決めできる程度に浅いものでもよい。この凹部９にグロメット３を設置すれば、グロメット３の前後左右の位置が確定される。
【産業上の利用可能性】
【００４１】
本発明によるグロメットは、ハイブリッド車両等におけるバッテリーモジュールの保持に好適である。
【図面の簡単な説明】
【００４２】
【図１】本発明によるグロメット（構成例１ａ）の斜視図である。
【図２】本発明によるグロメット（構成例１ａ）をバッテリーモジュールに装着した場合の斜視図である。
【図３】本発明によるグロメット（構成例１ａ）をバッテリーモジュールに装着した場合の正面図である。
【図４】本発明によるグロメット（構成例２ａ）をバッテリーモジュールに装着した場合の正面図である。
【図５】本発明によるグロメット（構成例３ａ）をバッテリーモジュールに装着した場合の正面図である。
【図６】本発明によるグロメット（構成例１ａ）の正面図である。
【図７】本発明によるグロメット（構成例１ｂ）の正面図である。
【図８】本発明によるグロメット（構成例１ｃ）の正面図である。
【図９】本発明によるグロメット（構成例１ｄ）の正面図である。
【図１０】本発明によるグロメット（構成例１ｅ）の正面図である。
【図１１】本発明によるグロメット（構成例１ｆ）の正面図である。
【図１２】本発明によるグロメット（構成例１ｇ）の正面図である。
【図１３】本発明によるグロメット（構成例１ｈ）の正面図である。
【図１４】本発明によるグロメット（構成例２ａ）の正面図である。
【図１５】本発明によるグロメット（構成例１ａ）を開いた場合の正面図である。
【図１６】本発明によるグロメット（構成例１ｆ）を開いた場合の正面図である。
【図１７】本発明によるグロメット（構成例１ｇ）を開いた場合の正面図である。
【図１８】本発明によるグロメット（構成例２ａ）を開いた場合の正面図である。
【図１９】本発明によるグロメット（構成例１ｉ）の正面図である。
【図２０】本発明によるグロメット（構成例１ｊ）の正面図である。
【図２１】本発明によるグロメット（構成例１ｉ）をバッテリーモジュールに装着した場合の正面図である。
【図２２】本発明によるグロメット（構成例３ｂ）の正面図である。
【図２３】本発明によるグロメット（構成例３ｃ）の正面図である。
【図２４】本発明によるグロメット（構成例１ａ）が装着されたバッテリーモジュールをバッテリーボックス底部に積み上げた場合の正面図である。
【図２５】本発明によるグロメット（構成例１ｈ）が装着されたバッテリーモジュールをバッテリーボックス底部に積み上げた場合の正面図である。
【図２６】本発明によるグロメット（構成例３ａ）が装着されたバッテリーモジュールをバッテリーボックス底部に積み上げた場合の正面図である。
【図２７】本発明によるグロメット（構成例２ａ）が装着されたバッテリーモジュールをバッテリーボックス底部に積み上げた場合の正面図である。
【図２８】本発明によるグロメット（構成例１ｇ）が装着されたバッテリーモジュールをバッテリーボックス底部に積み上げた場合の正面図である。
【図２９】本発明によるグロメット（構成例１ｉ）が装着されたバッテリーモジュールをバッテリーボックス底部に積み上げた場合の正面図である。
【図３０】従来のグロメットの斜視図である。
【符号の説明】
【００４３】
１    バッテリーモジュール
２    バッテリーボックス
３    グロメット（保持部材）
４    折り曲げ部
５    第１挟み込み部
６    第２挟み込み部
７    薄肉部
８    切り欠き部
９    凹部
１０    中空部
１１    嵌合部
１２    上下連結用の突起
１３    上下連結用の穴
１４    左右連結用の突起
１５    左右連結用の穴
１６    プラス電極
１７    マイナス電極
１８    左右連結用のライン状の突起
１９    左右連結用のライン状の溝
２０ａ、２０ｂ    分割体
２１    結合手段
【図１】
2009087816.tif 000003
【図２】
2009087816.tif 000004
【図３】
2009087816.tif 000005
【図４】
2009087816.tif 000006
【図５】
2009087816.tif 000007
【図６】
2009087816.tif 000008
【図７】
2009087816.tif 000009
【図８】
2009087816.tif 000010
【図９】
2009087816.tif 000011
【図１０】
2009087816.tif 000012
【図１１】
2009087816.tif 000013
【図１２】
2009087816.tif 000014
【図１３】
2009087816.tif 000015
【図１４】
2009087816.tif 000016
【図１５】
2009087816.tif 000017
【図１６】
2009087816.tif 000018
【図１７】
2009087816.tif 000019
【図１８】
2009087816.tif 000020
【図１９】
2009087816.tif 000021
【図２０】
2009087816.tif 000022
【図２１】
2009087816.tif 000023
【図２２】
2009087816.tif 000024
【図２３】
2009087816.tif 000025
【図２４】
2009087816.tif 000026
【図２５】
2009087816.tif 000027
【図２６】
2009087816.tif 000028
【図２７】
2009087816.tif 000029
【図２８】
2009087816.tif 000030
【図２９】
2009087816.tif 000031
【図３０】
2009087816.tif 000032